(57)【要約】【課題】外気を壁面から屋内に給気するにあたり、天候等の環境による影響を最小限に抑え、居住者等に不快感を与えない給気装置を提供する。【解決手段】建物の壁面に取り付け、屋外の空気を吸気して屋内に給気するための給気装置であり、  壁面を貫通して取り付けられ、吸気した空気が導通する筒状流路本体；  該筒状流路本体の屋外側の端部底面に設けられ、屋外の空気を吸気するために開口した吸気口；および  該筒状流路本体の屋内側の端部上面に設けられ、流路を導通した空気を屋内上方に給気するために開口した給気口；  を備えてなることを特徴とする給気装置。【選択図】図１
2019002621.tif 000002
【特許請求の範囲】
【請求項１】
建物の壁面に取り付け、屋外の空気を吸気して屋内に給気するための給気装置であり、
壁面を貫通して取り付けられ、吸気した空気が導通する筒状流路本体；
該筒状流路本体の屋外側の端部底面に設けられ、屋外の空気を吸気するために開口した吸気口；および
該筒状流路本体の屋内側の端部上面に設けられ、流路を導通した空気を屋内上方に給気するために開口した給気口；
を備えてなることを特徴とする給気装置。
【請求項２】
該吸気口は複数の孔から構成される請求項１に記載の給気装置。
【請求項３】
該筒状流路本体内の該吸気口の上にフィルター層が敷き詰められ、吸気された屋外の空気が該フィルター層を通過して流路に導通される請求項１または２に記載の給気装置。
【請求項４】
該筒状流路本体の屋外側の端部側面に設けられ、屋外の空気を吸気するために開口した吸気口をさらに備えた
てなる請求項１〜３のいずれか１項に記載の給気装置。
【請求項５】
該筒状流路本体の屋外側の端部側面に設けられた吸気口が、下向きの複数の孔から構成される請求項４に記載の給気装置。
【発明の詳細な説明】
【技術分野】
【０００１】
本発明は、屋外空気の吸気装置に関し、さらに詳しくは屋外の空気を屋内に給気するための給気装置に関するものである。
【背景技術】
【０００２】
屋外の空気を壁面から直接給気する場合、屋外の気温や天候等の環境の影響を受けやすく、外気の流入により空調費用が増大したり、雨風が入り込む等の問題が生じることが多い。
【発明の開示】
【発明が解決しようとする課題】
【０００３】
本発明は、上記の課題を解決し、外気を壁面から屋内に給気するにあたり、天候等の環境による影響を最小限に抑え、居住者等に不快感を与えない給気装置を提供する。
【課題を解決するための手段】
【０００４】
本発明は上記の問題を解決するために、以下の発明を提供するものである。
（１）建物の壁面に取り付け、屋外の空気を吸気して屋内に給気するための給気装置であり、
壁面を貫通して取り付けられ、吸気した空気が導通する筒状流路本体；
該筒状流路本体の屋外側の端部底面に設けられ、屋外の空気を吸気するために開口した吸気口；および
該筒状流路本体の屋内側の端部上面に設けられ、流路を導通した空気を屋内上方に給気するために開口した給気口；
を備えてなることを特徴とする給気装置。
（２）該吸気口は複数の孔から構成される上記（１）に記載の給気装置。
（３）該筒状流路本体内の該吸気口の上にフィルター層が敷き詰められ、吸気された屋外の空気が該フィルター層を通過して流路に導通される上記（１）または（２）に記載の給気装置。
（４）該筒状流路本体の屋外側の端部側面に設けられ、屋外の空気を吸気するために開口した吸気口をさらに備えたてなる上記（１）〜（３）のいずれかに記載の給気装置。
（５）該筒状流路本体の屋外側の端部側面に設けられた吸気口が、下向きの複数の孔から構成される上記（４）に記載の給気装置。
【発明の効果】
【０００５】
本発明によれば、外気を壁面から屋内に給気するにあたり、天候等の環境による影響を最小限に抑え、居住者等に不快感を与えない、屋内外一体型の給気装置を提供し得る。
【図面の簡単な説明】
【０００６】
【図１】本発明の給気装置の一例を示す斜視図。
【図２】本発明の給気装置の一例を示す分解斜視図。
【発明を実施するための形態】
【０００７】
本発明の給気装置は、建物の壁面に取り付け、屋外の空気を吸気して屋内に給気するための給気装置であり、
壁面を貫通して取り付けられ、吸気した空気が導通する筒状流路本体；
筒状流路本体の屋外側の端部底面に設けられ、屋外の空気を吸気するために開口した吸気口；および
筒状流路本体の屋内側の端部上面に設けられ、流路を導通した空気を屋内上方に給気するために開口した給気口；
を備えてなる。
【０００８】
筒状流路本体は、四角柱等の角柱状、または円柱状が好適であり、ガルバ鋼板等の金属材料、またはプラスチック材料が好適である。筒状流路本体は、壁面を貫通して取り付けられる。本発明の１実施態様において、取り付けに際しては、後述する図１、２に示すように屋内側つばおよび屋外側つばを用いて家屋の壁面に固定することができる。筒状流路本体の内部空間は、吸気した空気が導通する流路を形成する。
【０００９】
屋外の空気を吸気するために開口した吸気口は、筒状流路本体の屋外側の端部底面に設けられるので、雨水が入りにくくなる。吸気口は複数の孔から構成されるのが好適である。
【００１０】
本発明の好適な１実施態様において、筒状流路本体内の吸気口の上にフィルター層が敷き詰められ、吸気された屋外の空気が該フィルター層を通過して流路に導通される。空気中の汚れた粒子等を吸着し、清浄な空気を取り入れることができる。フィルター層としては、活性炭シートフィルター、不織布フィルター、メッシュフィルター等が挙げられ、活性炭シートフィルターが最も好ましく使用され得る。フィルター層は金具等で固定しても、着脱自在としてもよい。
【００１１】
さらに、本発明の１実施態様において、吸気口を筒状流路本体の屋外側の端部底面以外に側面にも設け得る。この場合においては、吸気口を構成する複数の孔は、下向きに形成するのが、雨水を入りにくくするのに好適である。
【００１２】
吸気された空気は、筒状流路本体の内部空間が形成する流路を好適にはＳ字の空気の流れができ、屋内が屋外の影響を受けにくい流れで導通する。そのためには、流路には、
導通する空気の流れを制御するために、案内板、整流板等を適宜設けてもよい。
【００１３】
ついで、導通した空気は、筒状流路本体の屋内側の端部上面に設けられた給気口から、屋内上方、たとえば斜め上方、に給気される。屋内上方に給気されるために、天井面の暖かな空気（たとえば２５℃）と混合して給気されるので、冬季（たとえば、外気温−５℃）でも冷気を感じにくくし得る（たとえば、屋内中心部２０℃、足元１８℃）。給気口には防虫網を取り付けるのが好適である。
【００１４】
本発明の１実施態様において、ファン等の換気システムを機械配置することにより屋内を負圧にして、好適に給気することができる。さらに、室内側の壁の温度が室内空気の露点温度以下であると壁表面に結露が生じるので、壁面の表面温度が露点温度以下にならないように壁を断熱構造とすることにより、室内側の壁面で結露が生じるのを防止することができる。
【００１５】
以下、図面を用いて本発明をさらに詳細に説明する。図１は、本発明の給気装置の一例を示す斜視図であり、吸気された空気の流れはＳ字状矢印で示される。図２は、本発明の給気装置の一例を示す分解斜視図である。１は筒状流路本体；２は筒状流路本体の屋外側の端部底面に設けられた吸気口；３は筒状流路本体の屋内側の端部上面に設けられた給気口；４は筒状流路本体の屋外側の端部側面に設けられた吸気口；５は給気口に取り付けられた防虫網；６は活性炭シートフィルター；７は活性炭シートフィルターを固定する押さえ金具；８、９は筒状流路本体を壁面に取り付ける屋内側つばおよび屋外側つば；を示す。図２における活性炭シートフィルター６は、吸気口２の上に敷き詰められ、押さえ金具７で固定される。筒状流路本体１は壁内に貫通して所定の高さの位置に埋め込まれ、屋内側つば８および屋外側つば９により、図１に示すように壁面に固定される。
【産業上の利用可能性】
【００１６】
本発明によれば、外気を壁面から屋内に給気するにあたり、天候等の環境による影響を最小限に抑え、居住者等に不快感を与えない、屋内外一体型の給気装置を提供し得る。
【符号の説明】
【００１７】
１    筒状流路本体
２、４    吸気口
３    給気口
５    防虫網
６    活性炭シートフィルター；
７    押さえ金具
８    屋内側つば
９    屋外側つば
【図１】
2019002621.tif 000003
【図２】
2019002621.tif 000004